(57)【要約】【課題】持ち手及び把持部を長期的且つ効果的に除菌することができるつり革及び把持部材を提供する。【解決手段】本実施の形態に係るつり革１は、紫外線（特に好ましくは紫外線Ｃ波）を発するＬＥＤ５１（発光素子）と、使用者（例えば車両の乗客）に把持され、該使用者の手に接触する接触面を有し、該接触面に前記ＬＥＤ５１が発した紫外線が照射される持ち手２と、該持ち手２を吊り下げるための支持部材（ストラップ３）とを備えることを特徴とする。【選択図】図２
2020045026.tif 000002
【特許請求の範囲】
【請求項１】
紫外線を発する発光素子と、
使用者に把持され、該使用者の手に接触する接触面を有し、該接触面に前記発光素子が発した紫外線が照射される持ち手と、
該持ち手を吊り下げるための支持部材と
を備えることを特徴とするつり革。
【請求項２】
前記持ち手は導光体を有し、
前記接触面は前記導光体の表面の一部であり、
前記発光素子から前記導光体の表面の他部に向けて前記紫外線が照射されることを特徴とする請求項１に記載のつり革。
【請求項３】
前記導光体は横棒状をなし、
前記接触面は前記導光体の周面の上部であり、
前記発光素子は、前記発光素子の光軸が前記導光体の周面の下部に向くようにして、前記導光体の下側に配されていることを特徴とする請求項２に記載のつり革。
【請求項４】
前記持ち手は横棒状の把持体を有し、
前記接触面は前記把持体の周面であり、
前記発光素子は、前記発光素子の光軸が前記把持体の一端側に向くようにして、前記把持体の他端側に配されていることを特徴とする請求項１に記載のつり革。
【請求項５】
複数の前記発光素子が前記把持体の周方向に並置されており、
前記把持体の前記周面に、前記紫外線を拡散させるための凹凸が設けられていることを特徴とする請求項４に記載のつり革。
【請求項６】
前記持ち手が把持されているか否かを検出する把持検出部と、
該把持検出部の検出結果が、前記持ち手が把持されていることを示す場合に、前記発光素子を点灯させ、所定時間の経過後に前記発光素子を消灯させる制御部と
を更に備えることを特徴とする請求項１から５の何れか一項に記載のつり革。
【請求項７】
前記持ち手が把持されているか否かを検出する把持検出部と、
該把持検出部の検出結果が、前記持ち手が把持されていないことを示す場合に、前記発光素子を点灯させ、所定時間の経過後に前記発光素子を消灯させる制御部と
を更に備えることを特徴とする請求項１から５の何れか一項に記載のつり革。
【請求項８】
前記持ち手の周囲における人の在否を検出する在否検出部と、
該在否検出部の検出結果が、前記人の不在を示す場合に、前記発光素子を点灯させ、所定時間の経過後に前記発光素子を消灯させる素子制御部と
を更に備えることを特徴とする請求項１から７の何れか一項に記載のつり革。
【請求項９】
前記発光素子の点灯を命じる命令を受け付ける受付部と、
該受付部が前記命令を受け付けた場合に、前記発光素子を点灯させ、所定時間の経過後に前記発光素子を消灯させる点消灯制御部と
を更に備えることを特徴とする請求項１から８の何れか一項に記載のつり革。
【請求項１０】
前記持ち手が把持された場合、及び把持された前記持ち手から前記手が離れた場合に切り替わるスイッチを更に備え、
該スイッチの切り替わりに応じて前記発光素子が点消灯することを特徴とする請求項１から５の何れか一項に記載のつり革。
【請求項１１】
前記持ち手が把持されているか否かを検出する把持検出部と、
該把持検出部の検出結果を示す情報を外部に送信する送信部と
を更に備えることを特徴とする請求項１から９の何れか一項に記載のつり革。
【請求項１２】
紫外線を発する発光素子と、
使用者に把持され、該使用者の手に接触する接触面を有し、該接触面に前記発光素子が発した紫外線が照射される把持部と
を備えることを特徴とする把持部材。
【発明の詳細な説明】
【技術分野】
【０００１】
本発明は、使用者に把持されるつり革及び把持部材に関する。
【背景技術】
【０００２】
列車、又はバス等の乗客は、車内で体を支えるために、つり革を利用することがある。つり革は、車内に設けられたつり革保持パイプから垂下するストラップと、ストラップによって吊り下げられる持ち手とを備える。乗客は持ち手を把持する。
つり革は不特定多数の乗客に使用される。つり革の持ち手を除菌することによって、各種の病原菌、ウイルスによる感染リスクの低減を図ることができる。
【０００３】
特許文献１には、つり革の輪の衛生具が記載されている。つり革の輪の衛生具は、消毒剤を担持する第１の部材と、第１の部材を包容する第２の部材とを備える。第２の部材は、第１の部材がつり革の輪（持ち手）を囲繞し、且つ、つり革の輪が回転可能であるように、つり革ベルト（ストラップ）に掛止されている。乗客は、つり革の輪を把持する際に、つり革の輪を回転させる。つり革の輪の回転に伴い、つり革の輪が消毒剤によって消毒される。
【先行技術文献】
【特許文献】
【０００４】
【特許文献１】実開平６−１２１７５号公報
【発明の概要】
【発明が解決しようとする課題】
【０００５】
特許文献１に記載されているつり革の輪の衛生具の場合、消毒剤による除菌効果を維持するためには、消毒剤の追加又は第１の部材の交換等、頻繁な保守管理が不可欠である。
しかも、一般的な消毒剤（アルコール、次亜塩素酸ナトリウム等）による除菌効果は限定的である。
【０００６】
本発明は斯かる事情に鑑みてなされたものであり、その主たる目的は、長期的且つ効果的に除菌することができるつり革及び把持部材を提供することにある。
【課題を解決するための手段】
【０００７】
本実施の形態に係るつり革は、紫外線を発する発光素子と、使用者に把持され、該使用者の手に接触する接触面を有し、該接触面に前記発光素子が発した紫外線が照射される持ち手と、該持ち手を吊り下げるための支持部材とを備えることを特徴とする。
【０００８】
本実施の形態にあっては、使用者が持ち手を把持することによって、持ち手の接触面に使用者の手が接触する。
持ち手の接触面には紫外線が照射される。紫外線（特に、２８０ｎｍ以下の短波長を有する紫外線Ｃ波）は、あらゆる種類の病原菌、ウイルスを短時間で有効に死滅させることができる。故に、持ち手の接触面を効果的に除菌することができる。
発光素子が発する紫外線を用いて除菌が行なわれるので、保守管理を頻繁に行なう必要がなく、長期的に除菌効果を維持することができる。
【０００９】
本実施の形態に係るつり革は、前記持ち手は導光体を有し、前記接触面は前記導光体の表面の一部であり、前記発光素子から前記導光体の表面の他部に向けて前記紫外線が照射されることを特徴とする。
【００１０】
本実施の形態にあっては、接触面が導光体の表面の一部である。
発光素子から導光体の表面の他部に向けて照射された紫外線は、導光体の内部を通って接触面に導かれる。故に、導光体を通して接触面に紫外線を照射することができる。
【００１１】
本実施の形態に係るつり革は、前記導光体は横棒状をなし、前記接触面は前記導光体の周面の上部であり、前記発光素子は、前記発光素子の光軸が前記導光体の周面の下部に向くようにして、前記導光体の下側に配されていることを特徴とする。
【００１２】
本実施の形態にあっては、接触面が導光体の周面の上部である。
発光素子の光軸が導光体の周面の下部に向くので、発光素子が発した紫外線は、導光体の周面の下部から導光体の内部に入射し、接触面に導かれる。故に、接触面が上向きの面であるにもかかわらず、紫外線を上向きに照射することができる。
【００１３】
本実施の形態に係るつり革は、前記持ち手は横棒状の把持体を有し、前記接触面は前記把持体の周面であり、前記発光素子は、前記発光素子の光軸が前記把持体の一端側に向くようにして、前記把持体の他端側に配されていることを特徴とする。
【００１４】
本実施の形態にあっては、接触面が把持体の周面である。
発光素子の光軸が把持体の一端側に向き、発光素子が把持体の他端側に配される。発光素子が発した紫外線は、接触面に照射される。故に、紫外線を横向きに照射することができる。
【００１５】
本実施の形態に係るつり革は、複数の前記発光素子が前記把持体の周方向に並置されており、前記把持体の前記周面に、前記紫外線を拡散させるための凹凸が設けられていることを特徴とする。
【００１６】
本実施の形態にあっては、把持体の周方向に並置された複数の発光素子夫々が紫外線を発する。また、把持体の周面に設けられた凹凸によって紫外線が拡散する。故に、紫外線を把持体の周面に満遍なく行き渡らせることができる。
【００１７】
本実施の形態に係るつり革は、前記持ち手が把持されているか否かを検出する把持検出部と、該把持検出部の検出結果が、前記持ち手が把持されていることを示す場合に、前記発光素子を点灯させ、所定時間の経過後に前記発光素子を消灯させる制御部とを更に備えることを特徴とする。
【００１８】
本実施の形態にあっては、持ち手が把持されている場合、即ち導光体の接触面が使用者の手で覆われている場合に発光素子が点灯するので、持ち手と共に持ち手を把持する手も除菌することができる。
発光素子の点灯後、所定時間が経過した場合に発光素子が消灯されるので、持ち手及び持ち手を把持する手が紫外線に長時間曝される虞がない。
【００１９】
本実施の形態に係るつり革は、前記持ち手が把持されているか否かを検出する把持検出部と、該把持検出部の検出結果が、前記持ち手が把持されていないことを示す場合に、前記発光素子を点灯させ、所定時間の経過後に前記発光素子を消灯させる制御部とを更に備えることを特徴とする。
【００２０】
本実施の形態にあっては、持ち手が把持されていない場合に発光素子が点灯するので、持ち手を把持する手が紫外線に曝される虞がない。
発光素子の点灯後、所定時間が経過した場合に発光素子が消灯されるので、持ち手が紫外線に長時間曝される虞がない。
【００２１】
本実施の形態に係るつり革は、前記持ち手の周囲における人の在否を検出する在否検出部と、該在否検出部の検出結果が、前記人の不在を示す場合に、前記発光素子を点灯させ、所定時間の経過後に前記発光素子を消灯させる素子制御部とを更に備えることを特徴とする。
【００２２】
本実施の形態にあっては、持ち手の周囲に人がいない場合に発光素子が点灯するので、人が紫外線に曝される虞がない。
発光素子の点灯後、所定時間が経過した場合に発光素子が消灯されるので、持ち手が紫外線に長時間曝される虞がない。
【００２３】
本実施の形態に係るつり革は、前記発光素子の点灯を命じる命令を受け付ける受付部と、該受付部が前記命令を受け付けた場合に、前記発光素子を点灯させ、所定時間の経過後に前記発光素子を消灯させる点消灯制御部とを更に備えることを特徴とする。
【００２４】
本実施の形態にあっては、つり革の外部から与えられた命令に従って発光素子が点灯するので、命令を与える者が望むタイミングで持ち手の除菌を行なうことができる。
発光素子の点灯後、所定時間が経過した場合に発光素子が消灯されるので、持ち手が紫外線に長時間曝される虞がない。
【００２５】
本実施の形態に係るつり革は、前記持ち手が把持された場合、及び把持された前記持ち手から前記手が離れた場合に切り替わるスイッチを更に備え、該スイッチの切り替わりに応じて前記発光素子が点消灯することを特徴とする。
【００２６】
本実施の形態にあっては、持ち手が把持された場合にスイッチが切り替わって発光素子が点灯し、把持された持ち手から手が離れた場合にスイッチが切り替わって発光素子が消灯される。又は、把持された持ち手から手が離れた場合にスイッチが切り替わって発光素子が点灯し、持ち手が把持された場合にスイッチが切り替わって発光素子が消灯される。
故に、簡易な構成で持ち手の除菌を行なうことができる。
【００２７】
本実施の形態に係るつり革は、前記持ち手が把持されているか否かを検出する把持検出部と、該把持検出部の検出結果を示す情報を外部に送信する送信部とを更に備えることを特徴とする。
【００２８】
本実施の形態にあっては、持ち手が把持されていることを示す情報、又は持ち手が把持されていないことを示す情報をつり革の外部に送信することができる。持ち手が把持されていることを示す情報、及び持ち手が把持されていないことを示す情報は、例えば乗車率の推定に利用することができる。
【００２９】
本実施の形態に係る把持部材は、紫外線を発する発光素子と、使用者に把持され、該使用者の手に接触する接触面を有し、該接触面に前記発光素子が発した紫外線が照射される把持部とを備えることを特徴とする。
【００３０】
本実施の形態にあっては、使用者が把持部を把持することによって、把持部の接触面に使用者の手が接触する。
把持部の接触面には紫外線が照射される。紫外線（特に、２８０ｎｍ以下の短波長を有する紫外線Ｃ波）は、あらゆる種類の病原菌、ウイルスを短時間で有効に死滅させることができる。故に、把持部の接触面を効果的に除菌することができる。
発光素子が発する紫外線を用いて除菌が行なわれるので、保守管理を頻繁に行なう必要がなく、長期的に除菌効果を維持することができる。
【発明の効果】
【００３１】
本実施の形態のつり革及び把持部材によれば、持ち手及び把持部を長期的且つ効果的に除菌することができる。
【図面の簡単な説明】
【００３２】
【図１】実施の形態１に係るつり革を示す斜視図である。
【図２】つり革を示す断面図である。
【図３】つり革の制御系の構成を示すブロック図である。
【図４】つり革で実行される除菌処理の手順を示すフローチャートである。
【図５】実施の形態２に係るつり革の制御系の構成を示すブロック図である。
【図６】実施の形態３に係るつり革の制御系の構成を示すブロック図である。
【図７】つり革で実行される除菌処理の手順を示すフローチャートである。
【図８】実施の形態４に係るつり革の制御系の構成を示すブロック図である。
【図９】実施の形態５に係るつり革を示す斜視図である。
【図１０】つり革を示す断面図である。
【図１１】つり革を示す他の断面図である。
【図１２】つり革で実行される除菌処理の手順を示すフローチャートである。
【図１３】実施の形態６に係るつり革を示す斜視図である。
【図１４】つり革を示す断面図である。
【図１５】つり革の制御系の構成を示すブロック図である。
【図１６】実施の形態７に係る把持部材を示す斜視図である。
【発明を実施するための形態】
【００３３】
以下、本発明を、その実施の形態を示す図面に基づいて詳述する。
【００３４】
実施の形態  １．
図１は、実施の形態１に係るつり革を示す斜視図である。
図中１はつり革であり、つり革１は、持ち手２及びストラップ３（支持部材）を備える。
持ち手２は多角形環状をなす。本実施の形態では、上底部２１が短く、下底部が長い等脚台形環状の持ち手２を例示する。
ストラップ３は無端状の帯である。ストラップ３は、持ち手２の上底部２１と保持パイプ４１とに巻き掛けられている。
【００３５】
保持パイプ４１は、車両（例えば列車又はバス）の内部に設けられている。保持パイプ４１は横方向（以下、左右方向という）に延びる。保持パイプ４１は、車両の天井から下向きに突設された図示しない支持体に支持されている。
ストラップ３は、保持パイプ４１から垂れ下がる。持ち手２は、上底部２１が上側になり、下底部が下側になるようにして、吊り下げられる。
ストラップ３の上下方向の中央部において、ストラップ３の前側の一部と後側の一部とが適宜の留め具で互いに留められている。
【００３６】
保持パイプ４１の上部には門型部材４２が固定されている。門型部材４２は、ストラップ３の保持パイプ４１に巻き掛けられている部分を左右方向に跨ぐ。門型部材４２は、ストラップ３が左右方向に位置ずれすることを防止する。
【００３７】
車両の乗客は、自分の身体を支えるために、持ち手２の下底部を把持する。
持ち手２を除菌するために、つり革１においては、紫外線（特に好ましくは紫外線Ｃ波）が持ち手２に向けて照射される。
【００３８】
図２は、つり革１を示す断面図である。
持ち手２は、上底部２１、２つの脚部２２，２２、下側保持部２３、及び導光体２４を備える。
図１及び図２に示す上底部２１、脚部２２，２２、及び下側保持部２３夫々は棒状をなし、遮光性を有する。上底部２１、脚部２２，２２、及び下側保持部２３は、上底部２１を上底とし、下側保持部２３を下底とする台形環状に一体的に設けられている。上底部２１の両端部から脚部２２，２２が斜め下に延び、脚部２２，２２夫々の下端部に下側保持部２３の両端部が連続している。
【００３９】
下側保持部２３の内部には、左右方向に延びる空間が設けられている。下側保持部２３の周面の上部には、左右方向に延びる上向きの開口が設けられている。下側保持部２３の開口は、下側保持部２３の内部空間に連通している。
脚部２２，２２夫々の内部には、下側保持部２３の内部空間に連通する連通路が設けられている。
上底部２１の内部には、脚部２２，２２夫々の連通路に連通する連通路が設けられている。上底部２１の周面の上部には、上向きの開口が設けられている。上底部２１の開口は、上底部２１の連通路に連通している。上底部２１の開口は、上底部２１にストラップ３が巻き掛けられることによって、目隠しされている。
【００４０】
導光体２４は、例えば石英ガラス製である。導光体２４は、矩形断面を有する棒状をなす。導光体２４の４つの周面のひとつ（以下、下面２４１という）には、導光体２４の長手方向に沿って、複数個の凹部２４２，２４２，…が並設されている。導光体２４の、下面２４１に対向する面（以下、上面２４３という）と他の２つの周面との角部は、凸面状に面取りされている。
【００４１】
なお、導光体２４の下面２４１を除く部分は、使用者が把持し易い形状であればよい。例えば、使用者の指を置くための複数の凹みが導光体２４の長手方向に並設されていてもよい。
導光体２４の長手方向の両端面には、導光体２４の内部から導光体２４の端面に入射した光を導光体２４の内部へ反射させる反射部が設けられていることが望ましい。
【００４２】
図２に示すＬＥＤ５１，５１，…夫々は、紫外線を発する発光素子である。ＬＥＤ５１，５１，…は、短冊状のＬＥＤ基板５１１の一面に、ＬＥＤ基板５１１の長手方向に並設されている。
【００４３】
ＬＥＤ基板５１１は、ＬＥＤ基板５１１の長手方向が左右に向き、ＬＥＤ５１，５１，…が上向きになるようにして、下側保持部２３の内部空間に収容されている。導光体２４は、導光体２４の長手方向が左右に向き、導光体２４の下面２４１の各凹部２４２にＬＥＤ５１が挿入されるようにして、ＬＥＤ基板５１１の上面に載置されている。故に、ＬＥＤ５１が発した紫外線は、導光体２４の凹部２４２の内面を透過して導光体２４の内部に入射する。
【００４４】
導光体２４の下部及び導光体２４の両端部は、下側保持部２３の内部空間に収容されている。導光体２４の残部は、下側保持部２３の開口を通して下側保持部２３から上に突出している。
下側保持部２３は、導光体２４の周面の上部（上面２４３及び導光体２４の前面及び後面夫々の概ね上半分）が露出するようにして導光体２４を保持する。また、下側保持部２３は、各ＬＥＤ５１の光軸が導光体２４の周面の下部（具体的には凹部２４２の底部）に向くようにして、ＬＥＤ５１，５１，…を導光体２４の下側に保持する。従って、紫外線はＬＥＤ５１から導光体２４へ上向きに照射される。
【００４５】
導光体２４は、持ち手２の下底部の上半分を構成し、下側保持部２３は、持ち手２の下底部の下半分を構成する。使用者は、導光体２４と下側保持部２３とをまとめて把持する。導光体２４の周面の上部は、使用者の手に接触する接触面である。
【００４６】
ＬＥＤ基板５１１には給電線５２，５２が接続されている。給電線５２，５２は、下側保持部２３の内部空間と脚部２２，２２夫々の連通路と上底部２１の連通路とを通って、上底部２１の開口から引き出されている。
【００４７】
上底部２１、脚部２２，２２、及び下側保持部２３は、例えば各部の前半分が一体形成された第１の部材と、各部の後半分が一体形成された第２の部材とで構成されている。持ち手２を組み立てる場合、まず、第１の部材にＬＥＤ基板５１１、給電線５２，５２、及び導光体２４が配される。次いで、第１の部材に第２の部材が取り付けられる。
【００４８】
保持パイプ４１とストラップ３の保持パイプ４１に巻き掛けられている部分との間には、把持検出部１１が配されている。
把持検出部１１はマイクロスイッチである。通常、把持検出部１１はオフである。持ち手２が把持されることによって、ストラップ３は引き下げられる。引き下げられたストラップ３は、把持検出部１１をオンにする。持ち手２から手が離れた場合、把持検出部１１はストラップ３を元の位置に押し上げ、オフになる。つまり、把持検出部１１がオンである場合、持ち手２は把持されており、把持検出部１１がオフである場合、持ち手２は把持されていない。
【００４９】
門型部材４２の上面には、つり革１の制御装置１２が載置されている。
図３は、つり革１の制御系の構成を示すブロック図である。
制御装置１２は、制御部１２１及びＬＥＤドライバ１２２を備える。制御部１２１とＬＥＤドライバ１２２とは、信号線を介して互いに接続されている。
制御部１２１は、ＣＰＵ及び記憶部を有する。ＣＰＵは、記憶部に記憶されているコンピュータプログラムに従って、所定の処理を実行する。
制御部１２１と把持検出部１１とは信号線を介して互いに接続されている。この信号線は、ストラップ３及び門型部材４２の周囲に配されている。制御部１２１には、把持検出部１１のオン／オフを示す信号（把持検出部１１の検出結果）が信号線を介して入力される。
【００５０】
持ち手２から引き出された給電線５２，５２は、ストラップ３の内側を通って門型部材４２まで引き出され、制御装置１２のＬＥＤドライバ１２２に接続されている。
制御部１２１及びＬＥＤドライバ１２２夫々には、車両に備えられている図示しない電源から給電される。電源から制御装置１２への給電線は、保持パイプ４１の内部、又は保持パイプ４１の周面に配される。
【００５１】
ＬＥＤドライバ１２２は、所定のオン信号が入力された場合にＬＥＤ５１，５１，…への給電を開始する。この結果、ＬＥＤ５１，５１，…は点灯される。オン信号の入力が途絶えたとき、ＬＥＤドライバ１２２はＬＥＤ５１，５１，…への給電を終了する。この結果、ＬＥＤ５１，５１，…は消灯される。
【００５２】
図４は、つり革１で実行される除菌処理の手順を示すフローチャートである。
制御部１２１は、持ち手２が把持されたか否かを判定する（Ｓ１１）。制御部１２１は、把持検出部１１がオフからオンに切り替わった場合に、持ち手２が把持されたと判定する。
持ち手２が把持されていない場合（Ｓ１１でＮＯ）、制御部１２１は、Ｓ１１の処理を再び実行する。
持ち手２が把持された場合（Ｓ１１でＹＥＳ）、制御部１２１は、ＬＥＤドライバ１２２へのオン信号の入力を開始することによって、ＬＥＤ５１，５１，…を点灯させる（Ｓ１２）。
【００５３】
ＬＥＤ５１，５１，…が発した紫外線は、導光体２４の凹部２４２，２４２，…の内面から導光体２４の内部に入射し、導光体２４の接触面に導かれる。つまり、導光体２４を通して持ち手２の接触面に紫外線が照射される。紫外線（特に紫外線Ｃ波）は、生物のＤＮＡに作用してＤＮＡを不活化させる作用を有しており、あらゆる種類の病原菌、ウイルスを短時間で有効に死滅させることができる。故に、持ち手２を効果的に除菌することができる。
【００５４】
つり革１の持ち手２は一般的な乗客の目の高さよりも高い位置に配される。紫外線は上向きに照射されるので、つり革１の使用中に紫外線が照射されるにもかかわらず、紫外線が使用者の目に直接的に入射することを防止することができる。
しかも、接触面が使用者の手で覆われるので、導光体２４からの漏光が使用者の目に直接的に入射することを確実に防止することができる。また、持ち手２と共に持ち手２を把持する手も除菌することができる。
なお、導光体２４の接触面に、紫外線を拡散させるための微細な凹凸が設けられていてもよい。
【００５５】
Ｓ１２の処理でＬＥＤ５１，５１，…を点灯させた後、制御部１２１は経過時間の計時を開始する（Ｓ１３）。
次に、制御部１２１は、所定時間が経過したか否かを判定する（Ｓ１４）。
例えば、大腸菌を殺傷率９９．９％で除菌するために必要な紫外線照射量は５４００μＷ・sec/cm2 、インフルエンザウィルスを殺傷率９９．９％で除菌するために必要な紫外線照射量は３４００μＷ・sec/cm2 と言われている。紫外線を照射し続ける所定時間の長さは、ＬＥＤ５１から照射される紫外線の強度、及び除菌すべき面積から求められる。
【００５６】
所定時間が経過した場合（Ｓ１４でＹＥＳ）、制御部１２１は、ＬＥＤドライバ１２２へのオン信号の入力を終了することによって、ＬＥＤ５１，５１，…を消灯させる（Ｓ１５）。最後に、制御部１２１は除菌処理を終了する。
除菌処理の終了後、制御部１２１は再びＳ１１から除菌処理を開始する。
【００５７】
Ｓ１４でＹＥＳの場合、持ち手２及び使用者の手夫々の除菌は完了している。この後、Ｓ１５の処理でＬＥＤ５１，５１，…が消灯されるので、持ち手２及び持ち手２を把持する手が紫外線に長時間曝される虞がない。
持ち手２の除菌の完了後、使用者が持ち手２から手を離した場合、次の使用者は除菌済みの持ち手２を把持することができる。
【００５８】
所定時間が経過していない場合（Ｓ１４でＮＯ）、制御部１２１は、持ち手２から手が離れたか否かを判定する（Ｓ１６）。制御部１２１は、把持検出部１１がオンからオフに切り替わった場合に、持ち手２から手が離れたと判定する。
持ち手２がまだ把持されている場合（Ｓ１６でＮＯ）、制御部１２１は、処理をＳ１４へ戻す。この結果、持ち手２の除菌が完了するまで、紫外線が照射され続ける。
【００５９】
持ち手２から手が離れた場合（Ｓ１６でＹＥＳ）、制御部１２１は、処理をＳ１５へ移して、ＬＥＤ５１，５１，…を消灯させる。
Ｓ１６でＹＥＳの場合、持ち手２の除菌が完了する前にＬＥＤ５１，５１，…が消灯される。しかしながら、次の使用者が持ち手２を把持すれば持ち手２及び使用者の手夫々の除菌が開始されるので、特段の問題はない。
なお、持ち手２から手が離れた場合、所定時間が経過するまで紫外線が照射され続けてもよい。
【００６０】
以上のようなつり革１によれば、ＬＥＤ５１，５１，…が発する紫外線を用いて除菌が行なわれるので、つり革１の保守管理を頻繁に行なう必要がない。即ち、長期的に除菌効果を維持することができる。
また、使用者が能動的に持ち手２を除菌する必要がないので、使用者の利便性が高い。
一般的なＬＥＤ５１は、紫外線と共に可視光線も発する。故に、ＬＥＤ５１が発光している場合、導光体２４が光っているように見える。導光体２４が光っている場合、持ち手２が除菌中であることが乗客に分かる。
【００６１】
なお、把持検出部１１はストラップ３と保持パイプ４１との間に配される構成に限定されない。例えば、把持検出部１１は、持ち手２に組み込まれてもよい。把持検出部１１はマイクロスイッチに限定されない。例えば、把持検出部１１は、感圧センサ、光センサ、静電センサ、又はひずみゲージでもよい。
【００６２】
ストラップ３の外面に、表示パネルが設けられてもよい。表示パネルには、例えば、持ち手２の除菌状況、又は広告等を示す画像が表示される。
つり革１に電源が備えられていてもよい。つり革１の電源は、例えば制御装置１２に内蔵された乾電池又は充電池、或いはストラップ３の外面に設けられた太陽電池である。
持ち手２は、ストラップ３に支持される構成に限定されない。例えば、持ち手２は、基端部が保持パイプ４１に取り付けられているレバー又はアーム等の先端部に支持されてもよい。
【００６３】
次に、実施の形態２〜６を説明する。実施の形態２〜６のつり革１は、実施の形態１のつり革１と略同様である。実施の形態２〜６のつり革１は、実施の形態１のつり革１の作用効果と略同様の作用効果を奏する。以下では、実施の形態１との差異について説明し、その他、実施の形態１と同一の構成要素には同一の符号を付してそれらの説明を省略する。
【００６４】
実施の形態  ２．
図５は、実施の形態２に係るつり革１の制御系の構成を示すブロック図である。
つり革１は、実施の形態１の把持検出部１１に替えて、スイッチ１３を備える。
本実施の形態においては、車両に備えられている電源４３とＬＥＤドライバ１２２との間にスイッチ１３が介在している。スイッチ１３がオンの場合、電源４３からＬＥＤ５１，５１，…に給電される。スイッチ１３がオンからオフに切り替わった場合、電源４３からＬＥＤ５１，５１，…への給電が断たれる。
【００６５】
スイッチ１３はマイクロスイッチである。スイッチ１３は、実施の形態１の把持検出部１１と同様に、保持パイプ４１とストラップ３の保持パイプ４１に巻き掛けられている部分との間に配されている。スイッチ１３は、持ち手２が把持された場合にオフからオンに切り替わり、持ち手２から使用者の手が離れた場合にオンからオフに切り替わる。
従って、持ち手２が把持されたときにＬＥＤ５１，５１，…が点灯し、持ち手２及び使用者の手が除菌される。持ち手２から手が離れたとき、ＬＥＤ５１，５１，…が消灯される。
以上のようなつり革１によれば、実施の形態１の制御部１２１が不要なので、つり革１の構成が簡易である。
【００６６】
なお、スイッチ１３は、持ち手２が把持された場合にオンからオフに切り替わり、持ち手２から使用者の手が離れた場合にオフからオンに切り替わってもよい。この場合、持ち手２が把持されていない場合に除菌されるので、持ち手２を把持する手が紫外線に曝される虞がない。
【００６７】
実施の形態  ３．
図６は、実施の形態３に係るつり革１の制御系の構成を示すブロック図である。
本実施の形態のつり革１は、在否検出部１４を更に備える。
在否検出部１４は、つり革１の周囲における乗客の在否を検出する。在否検出部１４は例えば静電容量型の近接センサである。つり革１の真下及びその周辺に、立っている乗客が存在する場合、在否検出部１４はオンである。つり革１の真下及びその周辺に、立っている乗客が存在しない場合、在否検出部１４はオフである。
在否検出部１４の検出結果は、制御部１２１に入力される。
【００６８】
図７は、つり革１で実行される除菌処理の手順を示すフローチャートである。
図７に示すＳ１１の処理は、図４に示すＳ１１の処理と同様である（実施の形態１参照）。持ち手２が把持された場合（Ｓ１１でＹＥＳ）、制御部１２１は、図４に示すＳ１２以降の処理を実行する。
持ち手２が把持されていない場合（Ｓ１１でＮＯ）、制御部１２１は、在否検出部１４の検出結果がオンであるか否かを判定することによって、乗客が存在するか否かを判定する（Ｓ２１）。つり革１の周囲に乗客が存在する場合（Ｓ２１でＹＥＳ）、制御部１２１は、処理をＳ１１へ戻す。
【００６９】
つり革１の周囲に乗客が存在しない場合（Ｓ２１でＮＯ）、制御部１２１は、処理をＳ２２へ移す。Ｓ２２〜Ｓ２５の処理は、図４に示すＳ１２〜Ｓ１５の処理と同様である。
Ｓ２２の処理でＬＥＤ５１，５１，…が点灯するので、つり革１の周囲に乗客が存在しない場合に持ち手２を除菌することができる。故に、次の使用者は除菌済みの持ち手２を把持することができる。
【００７０】
所定時間が経過していない場合（Ｓ２４でＮＯ）、制御部１２１は、乗客が存在するか否かを再び判定する（Ｓ２６）。
つり革１の周囲に乗客が存在しない場合（Ｓ２６でＮＯ）、制御部１２１は、処理をＳ２４へ戻す。この結果、持ち手２の除菌が完了するまで、紫外線が照射され続ける。
【００７１】
つり革１の周囲に乗客が存在する場合（Ｓ２６でＹＥＳ）、制御部１２１は、処理をＳ２５へ移して、ＬＥＤ５１，５１，…を消灯させる。
Ｓ２２及びＳ２５の処理を実行する制御部１２１は、実施の形態における素子制御部として機能する。
【００７２】
つり革１の周囲に乗客が存在しない場合にＬＥＤ５１，５１，…が発する紫外線の強度は、持ち手２が把持された場合よりも高くてもよい。この場合、Ｓ２４の所定時間はＳ１４の所定時間よりも短い。即ち、短時間で除菌が完了するように図ることができる。
【００７３】
在否検出部１４は近接センサに限定されず、例えばカメラであってもよい。この場合、カメラが撮像した画像と、つり革１の周囲に乗客が存在しないときに撮像した画像とが比較される。両者の違いが大きい（小さい）場合、つり革１の周囲に乗客が存在する（存在しない）。
保持パイプ４１には複数のつり革１，１，…が吊り下げられる。在否検出部１４は、複数のつり革１，１，…に共通のものが用いられてもよい。この場合、在否検出部１４はつり革１，１，…の周囲における乗客の在否を検出する。
【００７４】
実施の形態  ４．
図８は、実施の形態４に係るつり革１の制御系の構成を示すブロック図である。
制御装置１２は、通信部１２３及び時計１２４を更に備える。
制御部１２１は、通信部１２３を介して、車両に備えられている情報処理装置４４との通信を行なう。情報処理装置４４から制御装置１２への通信線は、保持パイプ４１の内部、又は保持パイプ４１の周面に配される。情報処理装置４４は情報記憶部４４１を備える。
時計１２４は現在時刻を計る。
【００７５】
制御部１２１の記憶部には、つり革１を識別するための識別情報が与えられている。
制御部１２１は、持ち手２が把持されたと判定した場合（図４に示すＳ１１でＹＥＳ）、持ち手２が把持されていることを示す把持情報と、識別情報と、現在時刻を示す時刻情報とを、通信部１２３を介して情報処理装置４４へ送信する。また、制御部１２１は、持ち手２から手が離れたと判定した場合（図４に示すＳ１６でＹＥＳ）、持ち手２が把持されていないことを示す非把持情報と、識別情報と、現在時刻を示す時刻情報とを、通信部１２３を介して情報処理装置４４へ送信する。以上のような制御部１２１は、実施の形態における送信部として機能する。
情報処理装置４４は、受信した把持情報又は非把持情報と、識別情報と、時刻情報との組を情報記憶部４４１に記憶する。
【００７６】
車両には複数のつり革１，１，…が備えられている。情報記憶部４４１に記憶されている各種情報を用いれば、任意の時刻に特定のつり革１が使用されていたか否かを知ることができる。つり革１が使用されている場合、つり革１の近傍の座席は概ね満員である、と考えられる。故に、情報記憶部４４１に記憶されている各種情報を用いて、例えば任意の時刻における乗車率の推定を行なうことができる。
乗車率を推定する演算は、情報処理装置４４が行なってもよい。
情報処理装置４４は、情報記憶部４４１に記憶された各種情報と車両を識別する車両識別情報とを、車外の情報処理装置へ送信してもよい。
【００７７】
操作部４５は、例えば車両の運転席に備えられている。運転手は、例えば車両の回送中、又は車両を車庫に入れた場合に、操作部４５を操作する。
操作部４５が操作された否かの情報は、情報処理装置４４に与えられる。操作部４５が操作された場合、情報処理装置４４は、ＬＥＤ５１，５１，…の点灯を命じる除菌命令をつり革１，１，…の制御部１２１，１２１，…へ送信する。
制御部１２１は、通信部１２３を介して除菌命令を受信する。即ち、制御部１２１は、実施の形態における受付部として機能する。除菌命令を受信した場合、制御部１２１は、ＬＥＤ５１，５１，…を点灯させる。制御部１２１は、所定時間の経過後にＬＥＤ５１，５１，…を消灯させる。即ち、制御部１２１は、実施の形態における点消灯制御部として機能する。従って、持ち手２が紫外線に長時間曝される虞がない。
【００７８】
以上のようなつり革１によれば、持ち手２が把持された場合のみならず、運転手が望むタイミングで持ち手２の除菌を行なうことができる。
なお、使用者が所有している携帯端末機に所定のアプリケーションがインストールされることによって、携帯端末機がつり革１のリモートコントローラとして機能する構成でもよい。
【００７９】
実施の形態  ５．
図９は、実施の形態５に係るつり革１を示す斜視図である。
図１０は、つり革１を示す断面図である。
本実施の形態の持ち手２は、矩形環状をなす。持ち手２は、上辺部２５、２つの側辺部２６，２６、及び把持体２７を備える。
【００８０】
上辺部２５及び側辺部２６，２６は棒状をなし、遮光性を有する。上辺部２５及び側辺部２６，２６は、上辺部２５の両端部から側辺部２６，２６が下に延びるようにして、一体的に設けられている。
上辺部２５の下部には、上辺部２５を前後方向に貫通する挿通孔２５１が設けられている。ストラップ３は、挿通孔２５１を通って上辺部２５に巻き掛けられている。
【００８１】
上辺部２５には、実施の形態１の上底部２１に設けられている開口及び連通路と同様の開口及び連通路が設けられている。上辺部２５の開口は、ストラップ３によって目隠しされている。
左側の側辺部２６の下端部には、右側に開口する矩形状の保持穴が設けられている。同様に、右側の側辺部２６の下端部には、左側に開口する保持穴が設けられている。各側辺部２６には、側辺部２６の保持穴と上辺部２５の連通路とに連通する連通路が設けられている。
【００８２】
図１１は、つり革１を示す他の断面図である。
図９〜図１１に示すように、把持体２７は、円形断面を有する棒状をなす。把持体２７の周面には、紫外線を拡散させるための多数の凹凸２７１が設けられている。凹凸２７１は、少なくとも把持体２７を把持した使用者が違和感を覚えない程度に微細である。図１１には凹凸２７１が強調して描かれている。図１１に示す凹凸２７１は規則的に設けられているが、不規則に設けられてもよい。
【００８３】
図１０及び図１１に示すように、ＬＥＤ５１，５１，…は、矩形状のＬＥＤ基板５１１の一面に並設されている。ＬＥＤ５１，５１，…は、把持体２７の直径よりも僅かに大きい仮想的な円に沿って等配されている。本実施の形態では、つり革１は２枚のＬＥＤ基板５１１，５１１を備える。
各側辺部２６の保持穴には、ＬＥＤ基板５１１の両面が左右に向き、ＬＥＤ５１，５１，…が側辺部２６の保持穴の開口に向くようにして、ＬＥＤ基板５１１が収容されている。
【００８４】
把持体２７の長手方向は左右方向に向く。把持体２７の両端部は、側辺部２６，２６夫々の保持穴に挿入されている。把持体２７の両端面は、ＬＥＤ５１，５１，…から左右方向に適長離隔している。側辺部２６の保持穴の内周面と把持体２７の端部の周面との間には、透光性を有する保持具２７２が配されている。保持具２７２は、把持体２７のガタツキを防止している。
車両の乗客は、自分の身体を支えるために、把持体２７を把持する。把持体２７の周面は、使用者の手に接触する接触面である。
【００８５】
左側の側辺部２６に配されている各ＬＥＤ５１の光軸は把持体２７の長手方向に沿って右側に向く。同様に、右側の側辺部２６に配されている各ＬＥＤ５１の光軸は左側に向く。ＬＥＤ５１が発した紫外線は、光軸を中心に拡散するので、ＬＥＤ５１が発した紫外線は、把持体２７の接触面に照射される。
ＬＥＤ５１，５１，…は把持体２７の周方向に並置されている。また、把持体２７の周面に設けられた凹凸２７１によって紫外線が拡散する。故に、紫外線を把持体２７の周面に満遍なく行き渡らせることができる。
【００８６】
ＬＥＤ基板５１１には給電線５２が接続されている。給電線５２は、側辺部２６の連通路と上辺部２５の連通路とを通って、上辺部２５の開口から引き出されている。
【００８７】
上辺部２５及び側辺部２６，２６は、例えば各部の前半分が一体形成された第３の部材と、各部の後半分が一体形成された第４の部材とで構成されている。持ち手２を組み立てる場合、まず、第３の部材にＬＥＤ基板５１１，５１１、給電線５２，５２、把持体２７、及び保持具２７２，２７２が配される。次いで、第３の部材に第４の部材が取り付けられる。
【００８８】
つり革１の制御系の構成を示すブロック図は、図３に示すブロック図と略同様である。ただし、給電線５２，５２夫々には、互いに異なるＬＥＤ基板５１１が接続されている。
【００８９】
図１２は、つり革１で実行される除菌処理の手順を示すフローチャートである。
図１２に示すＳ１１の処理は、図４に示すＳ１１の処理と同様である。持ち手２が把持されていない場合（Ｓ１１でＮＯ）、制御部１２１は、Ｓ１１の処理を再び実行する。
なお、つり革１は実施の形態３の在否検出部１４を更に備えてもよい。この場合、Ｓ１１でＮＯのとき、図７に示すＳ２１以降の処理が実行される。
【００９０】
持ち手２が把持された場合（Ｓ１１でＹＥＳ）、制御部１２１は、持ち手２から手が離れたか否かを判定する（Ｓ３１）。Ｓ３１の処理は、図４に示すＳ１６の処理と同様である。
持ち手２がまだ把持されている場合（Ｓ３１でＮＯ）、制御部１２１は、Ｓ３１の処理を繰り返す。
【００９１】
持ち手２から手が離れた場合（Ｓ３１でＹＥＳ）、制御部１２１は、処理をＳ３２へ移す。Ｓ３２〜Ｓ３５の処理は、図４に示すＳ１２〜Ｓ１５の処理と同様である。
Ｓ３２の処理でＬＥＤ５１，５１，…が点灯するので、把持されていた持ち手２から手が離れた場合に持ち手２を除菌することができる。故に、持ち手２を把持する手が紫外線に曝される虞がない。
把持体２７の両端部は側辺部２６，２６によって遮光されているので、乗客が把持体２７を左右方向から覗き込んだとしても、紫外線が乗客の目に直接的に入射する虞はない。
【００９２】
所定時間が経過していない場合（Ｓ３４でＮＯ）、制御部１２１は、持ち手２が把持されたか否かを再び判定する（Ｓ３６）。
持ち手２がまだ把持されていない場合（Ｓ３６でＮＯ）、制御部１２１は、処理をＳ３４へ戻す。この結果、持ち手２の除菌が完了するまで、紫外線が照射され続ける。
持ち手２から手が離れた場合（Ｓ３６でＹＥＳ）、制御部１２１は、ＬＥＤ５１，５１，…を消灯させる（Ｓ３７）。Ｓ３７の処理は、図４に示すＳ１５の処理と同様である。
Ｓ３７の処理の終了後、制御部１２１は、処理をＳ３１へ戻す。
Ｓ３７の処理でＬＥＤ５１，５１，…が消灯されるので、除菌中に持ち手２が把持されても、使用者の手に紫外線が照射される虞はない。
【００９３】
以上のようなつり革１によれば、使用者の手に紫外線が照射されないので、強度が高い紫外線を用いて、短時間で除菌が完了するように図ることができる。
【００９４】
なお、左側（及び右側）の保持具２７２の右面（及び左面）にＬＥＤ５１，５１，…が配されてもよい。この場合、保持具２７２は透光性を有している必要はない。
【００９５】
把持体２７は導光性を有していてもよい。この場合、把持体２７は例えば石英ガラス製である。各ＬＥＤ５１は、ＬＥＤ５１の光軸が把持体２７の端面に向くようにして、把持体２７の左側又は右側に配される。ＬＥＤ５１から把持体２７の端面に向けて照射された紫外線は、把持体２７の内部を通って接触面に導かれる。故に、把持体２７を通して接触面に紫外線を照射することができる。把持体２７を通して接触面に紫外線を照射する場合には、実施の形態１と同様に、把持体２７が把持された場合にＬＥＤ５１が点灯してもよい。
【００９６】
把持体２７は、手すり又はドアの取っ手等の把持部として構成されてもよい。把持体２７が手すりを構成する場合、手すりの端部を覆うキャップ、又は２本の手すりのジョイントが、ＬＥＤ基板５１１を保持してもよい。把持検出部１１は、例えば手すりを壁に取り付けるためのブラケットに組み込まれた荷重センサである。手すりが把持された場合、ブラケットに荷重が加わるので、制御部１２１は、荷重センサの検出結果が所定の閾値よりも大きい場合に手すりが把持されていると判定する。
【００９７】
実施の形態１のつり革１において、図１２に示す除菌処理が実行されてもよい。
【００９８】
実施の形態  ６．
図１３は、実施の形態６に係るつり革１を示す斜視図である。
図１４は、つり革１を示す断面図である。
本実施の形態の持ち手２は、上底部２１が短く、下底部２８が長い等脚台形環状をなす。持ち手２の上底部２１、脚部２２，２２、及び下底部２８は一体に設けられている。
下底部２８は、円形断面を有する棒状をなす。車両の乗客は、自分の身体を支えるために、下底部２８を把持する。下底部２８の周面は、使用者の手に接触する接触面である。
持ち手２には、第１保持部材５３及び第２保持部材５４が装着される。
【００９９】
第１保持部材５３は、短小の円筒状をなす。第１保持部材５３の周壁は適宜の厚みを有する。第１保持部材５３は、互いに固定される２つの半円筒部材５３１，５３１を備える。
第１保持部材５３の内径は下底部２８の外径に対応する。第１保持部材５３の一端面には、複数個のＬＥＤ５１，５１，…が第１保持部材５３の周方向に等配されている。また、ＬＥＤ５１，５１，…の何れか２つの間に、発光素子５５が配されている。発光素子５５は赤外線を発する。
ＬＥＤ５１，５１，…には、給電線５２を通して給電される。発光素子５５には、給電線５６を通して給電される。
【０１００】
第２保持部材５４は第１保持部材５３と略同様の構成である。ただし、発光素子５５に替えて受光素子５７が配されている。受光素子５７は、発光素子５５が発した赤外線を受光している間、信号線５８（後述する図１５参照）を通して受光信号を出力し続ける。
【０１０１】
第１保持部材５３及び第２保持部材５４は、発光素子５５と受光素子５７とが互いに対向するようにして、下底部２８の両端部に装着される。例えば、第１保持部材５３は、半円筒部材５３１，５３１夫々が下底部２８の半周を囲むようにして互いに固定されることによって、下底部２８に装着される。
【０１０２】
第１保持部材５３に配されている各ＬＥＤ５１の光軸は、下底部２８の長手方向に沿って第２保持部材５４に向く。同様に、第２保持部材５４に配されている各ＬＥＤ５１の光軸は、第１保持部材５３に向く。ＬＥＤ５１が発した紫外線は、光軸を中心に拡散するので、ＬＥＤ５１が発した紫外線は、下底部２８の接触面に照射される。
発光素子５５は、受光素子５７に向けて赤外線を照射する。下底部２８が把持された場合、使用者の手によって赤外線が遮光される。
【０１０３】
第１保持部材５３からは、給電線５２，５６が引き出されている。給電線５２，５６は、持ち手２の内周に配され、ストラップ３の内側を通って門型部材４２まで引き出され、制御装置１２に接続されている。
第２保持部材５４からは、給電線５２及び信号線５８が引き出されている。給電線５２及び信号線５８は、持ち手２の内周に配され、ストラップ３の内側を通って門型部材４２まで引き出され、制御装置１２に接続されている。
【０１０４】
図１５は、つり革１の制御系の構成を示すブロック図である。
制御装置１２は、制御部１２１、ＬＥＤドライバ１２２、発光回路１２５、及び受光回路１２６を備える。制御部１２１とＬＥＤドライバ１２２、発光回路１２５、及び受光回路１２６夫々とは信号線を介して互いに接続されている。制御部１２１、ＬＥＤドライバ１２２、発光回路１２５、及び受光回路１２６夫々には、車両に備えられている図示しない電源から給電される。
【０１０５】
制御部１２１は、発光回路１２５にオン信号を入力し続ける。発光回路１２５には給電線５６が接続されている。発光回路１２５は、オン信号が入力されている間、発光素子５５に給電し続ける。
受光回路１２６は、受光素子５７から入力された受光信号を制御部１２１に入力する。受光回路１２６から制御部１２１に受光信号が入力されている場合、持ち手２は把持されていない。受光回路１２６から制御部１２１に受光信号が入力されていない場合、持ち手２は把持されている。
【０１０６】
つり革１で実行される除菌処理の手順は、図１２に示す除菌処理の手順と同様である。ただし、制御部１２１は、受光回路１２６からの受光信号の入力が途絶えた場合に、持ち手２が把持されたと判定する。また、制御部１２１は、受光回路１２６からの受光信号の入力が再開された場合に、持ち手２から手が離れたと判定する。
【０１０７】
以上のようなつり革１によれば、公知のつり革の持ち手に第１保持部材５３及び第２保持部材５４を装着し、門型部材４２に制御装置１２を取り付け、給電線５２，５２，５６及び信号線５８を配線することによって、つり革１を構成することができる。
【０１０８】
なお、第１保持部材５３及び第２保持部材５４は、手すり又はドアの取っ手等の把持部に装着されてもよい。手すりに装着される場合、第１保持部材５３及び第２保持部材５４夫々は、手すりの端部を覆うキャップ、又は２本の手すりのジョイントとして構成されてもよい。
【０１０９】
紫外線を発する発光シートが持ち手の表面又は把持部の表面を覆ってもよい。使用者は、発光シートごと持ち手又は把持部を把持する。発光シートの発光面は、紫外線によって除菌される。紫外線が不必要な方向へ照射されることを防止するために、発光面の一部が遮光部材に覆われていてもよい。発光シートと持ち手又は把持部との間に、例えばシート状の感圧センサを介在させることによって、把持されたか否かを検出することができる。
【０１１０】
実施の形態  ７．
図１６は、実施の形態７に係る把持部材を示す斜視図である。
図中６は把持部材であり、把持部材６は、手すり７（把持部）を備いる。
手すり７は、導光体７１及び下側保持部７２を備える。
【０１１１】
導光体７１は、半円状の断面を有する棒状をなす。導光体７１は、平面状の周面（以下、下側周面７１１という）を下向きにし、曲面状の周面（以下、上側周面７１２という）を上向きにして用いられる。下側周面７１１には、導光体７１の長手方向に沿って、複数個の凹部７１３，７１３，…が並設されている。
【０１１２】
下側保持部７２は、半円状の断面を有する棒状をなす。下側保持部７２は、曲面状の周面を下向きにして用いられる。下側保持部７２の平面状の周面には、下側保持部７２の全長に亘る溝７２１が設けられている。溝７２１は上向きに開口している。
溝７２１の底部には、ＬＥＤ５１，５１，…が上向きになるようにして、ＬＥＤ基板５１１が載置されている。
把持検出部１１はシート状の感圧センサであり、ＬＥＤ基板５１１の上面に載置されている。
【０１１３】
導光体７１は、下側周面７１１が把持検出部１１を介してＬＥＤ基板５１１の上面に対向し、下側周面７１１の各凹部７１３にＬＥＤ５１が挿入されるようにして、下側保持部７２の溝７２１に嵌め込まれている。導光体７１の上側周面７１２は、周方向の両端部を除いて、溝７２１の開口から上に突出している。
手すり７の端部には、手すり７を壁に取り付けるためのブラケット６１が取り付けられている。ブラケット６１の内部には、制御装置１２が組み込まれている。
【０１１４】
使用者は手すり７を把持する。導光体７１の上側周面７１２は、使用者の手に接触する接触面である。手すり７が把持された場合、導光体７１に下向きの荷重が加わる。把持検出部１１は、導光体７１に加わった荷重を検出する。把持検出部１１の検出結果が所定の閾値以上である場合、手すり７は把持されている。把持検出部１１の検出結果が所定の閾値未満である場合、手すり７は把持されていない。
【０１１５】
把持部材６の制御系の構成を示すブロック図は、図３に示すブロック図と略同様である。
把持部材６で実行される除菌処理の手順は、図４又は図１２に示す除菌処理の手順と同様である。ただし、制御部１２１は、把持検出部１１の検出結果が所定の閾値を上回った場合に、手すり７が把持されたと判定する。また、制御部１２１は、把持検出部１１の検出結果が所定の閾値を下回った場合に、手すり７から手が離れたと判定する。
【０１１６】
ＬＥＤ５１，５１，…が発した紫外線は、導光体７１の凹部７１３，７１３，…の内面から導光体７１の内部に入射し、導光体７１の接触面に導かれる。つまり、導光体７１を通して手すり７の接触面に紫外線が照射されるので、手すり７を効果的に除菌することができる。
所定時間の経過後、ＬＥＤ５１，５１，…が消灯されるので、手すり７が紫外線に長時間曝される虞がない。
【０１１７】
以上のような把持部材６によれば、ＬＥＤ５１，５１，…が発する紫外線を用いて除菌が行なわれるので、把持部材６の保守管理を頻繁に行なう必要がない。即ち、長期的に除菌効果を維持することができる。
また、使用者が能動的に手すり７を除菌する必要がないので、使用者の利便性が高い。
一般的なＬＥＤ５１は、紫外線と共に可視光線も発する。故に、ＬＥＤ５１が発光している場合、導光体７１が光っているように見える。導光体７１が光っている場合、手すり７が除菌中であることが乗客に分かる。
【０１１８】
なお、導光体７１の上側周面７１２に、紫外線を拡散させるための微細な凹凸が設けられていてもよい。
把持部材６の手すり７と同様の構成が、例えばドアの取っ手に適用されてもよい。
【０１１９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【０１２０】
１      つり革
１１    把持検出部
１２    制御装置
１２１  制御部（素子制御部，受付部，点消灯制御部，送信部）
１３    スイッチ
１４    在否検出部
２      持ち手
２４    導光体
２７    把持体
２７１  凹凸
３      ストラップ（支持部材）
５１    ＬＥＤ（発光素子）
６      把持部材
７      手すり（把持部）
７１    導光体
【図１】
2020045026.tif 000003
【図２】
2020045026.tif 000004
【図３】
2020045026.tif 000005
【図４】
2020045026.tif 000006
【図５】
2020045026.tif 000007
【図６】
2020045026.tif 000008
【図７】
2020045026.tif 000009
【図８】
2020045026.tif 000010
【図９】
2020045026.tif 000011
【図１０】
2020045026.tif 000012
【図１１】
2020045026.tif 000013
【図１２】
2020045026.tif 000014
【図１３】
2020045026.tif 000015
【図１４】
2020045026.tif 000016
【図１５】
2020045026.tif 000017
【図１６】
2020045026.tif 000018
【手続補正書】
【提出日】令和1年10月31日(2019.10.31)
【手続補正２】
【補正対象書類名】明細書
【補正対象項目名】０００１
【補正方法】変更
【補正の内容】
【０００１】
本発明は、使用者に把持されるつり革に関する。
【手続補正３】
【補正対象書類名】明細書
【補正対象項目名】０００６
【補正方法】変更
【補正の内容】
【０００６】
本発明は斯かる事情に鑑みてなされたものであり、その主たる目的は、長期的且つ効果的に除菌することができるつり革を提供することにある。
【手続補正４】
【補正対象書類名】明細書
【補正対象項目名】０００７
【補正方法】変更
【補正の内容】
【０００７】
本実施の形態に係るつり革は、紫外線を発する発光素子と、使用者に把持され、該使用者の手に接触する接触面を有し、該接触面に前記発光素子が発した紫外線が照射される持ち手と、該持ち手を吊り下げるための支持部材とを備え、前記支持部材は、前記持ち手に巻き掛けられた無端状の帯であり、前記発光素子に給電するための給電線が、前記持ち手の内部に設けられた空間及び前記支持部材の内側を通って配線されていることを特徴とする。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】変更
【補正の内容】
【００３１】
本実施の形態のつり革によれば、持ち手及び把持部を長期的且つ効果的に除菌することができる。
【手続補正８】
【補正対象書類名】特許請求の範囲
【補正対象項目名】全文
【補正方法】変更
【補正の内容】
【特許請求の範囲】
【請求項１】
紫外線を発する発光素子と、
使用者に把持され、該使用者の手に接触する接触面を有し、該接触面に前記発光素子が発した紫外線が照射される持ち手と、
該持ち手を吊り下げるための支持部材と
を備え、
前記支持部材は、前記持ち手に巻き掛けられた無端状の帯であり、
前記発光素子に給電するための給電線が、前記持ち手の内部に設けられた空間及び前記支持部材の内側を通って配線されていることを特徴とするつり革。
【請求項２】
前記持ち手は導光体を有し、
前記接触面は前記導光体の表面の一部であり、
前記発光素子から前記導光体の表面の他部に向けて前記紫外線が照射されることを特徴とする請求項１に記載のつり革。
【請求項３】
前記導光体は横棒状をなし、
前記接触面は前記導光体の周面の上部であり、
前記発光素子は、前記発光素子の光軸が前記導光体の周面の下部に向くようにして、前記導光体の下側に配されていることを特徴とする請求項２に記載のつり革。
【請求項４】
前記持ち手は横棒状の把持体を有し、
前記接触面は前記把持体の周面であり、
前記発光素子は、前記発光素子の光軸が前記把持体の一端側に向くようにして、前記把持体の他端側に配されていることを特徴とする請求項１に記載のつり革。
【請求項５】
複数の前記発光素子が前記把持体の周方向に並置されており、
前記把持体の前記周面に、前記紫外線を拡散させるための凹凸が設けられていることを特徴とする請求項４に記載のつり革。
【請求項６】
前記持ち手が把持されているか否かを検出する把持検出部と、
該把持検出部の検出結果が、前記持ち手が把持されていることを示す場合に、前記発光素子を点灯させ、所定時間の経過後に前記発光素子を消灯させる制御部と
を更に備えることを特徴とする請求項１から５の何れか一項に記載のつり革。
【請求項７】
前記持ち手が把持されているか否かを検出する把持検出部と、
該把持検出部の検出結果が、前記持ち手が把持されていないことを示す場合に、前記発光素子を点灯させ、所定時間の経過後に前記発光素子を消灯させる制御部と
を更に備えることを特徴とする請求項１から５の何れか一項に記載のつり革。
【請求項８】
前記持ち手の周囲における人の在否を検出する在否検出部と、
該在否検出部の検出結果が、前記人の不在を示す場合に、前記発光素子を点灯させ、所定時間の経過後に前記発光素子を消灯させる素子制御部と
を更に備えることを特徴とする請求項１から７の何れか一項に記載のつり革。
【請求項９】
前記発光素子の点灯を命じる命令を受け付ける受付部と、
該受付部が前記命令を受け付けた場合に、前記発光素子を点灯させ、所定時間の経過後に前記発光素子を消灯させる点消灯制御部と
を更に備えることを特徴とする請求項１から８の何れか一項に記載のつり革。
【請求項１０】
前記持ち手が把持された場合、及び把持された前記持ち手から前記手が離れた場合に切り替わるスイッチを更に備え、
該スイッチの切り替わりに応じて前記発光素子が点消灯することを特徴とする請求項１から５の何れか一項に記載のつり革。
【請求項１１】
前記持ち手が把持されているか否かを検出する把持検出部と、
該把持検出部の検出結果を示す情報を外部に送信する送信部と
を更に備えることを特徴とする請求項１から９の何れか一項に記載のつり革。